(57)【要約】      （修正有）【課題】建築物及び自然物を再現した撮影スタジオ、幾何学的なデザインや原色を中心とした様々な色彩や模様を背景を配した撮影スタジオを場所を選ばず安価に再現するとともに、背景を交換可能とし、また連結して使用する事も可能とする写真撮影ブースを提供する。【解決手段】撮影ブース１は、常設又は、分割もしくは折り畳んで携行可能なフレーム２とこのフレーム２の内部もしくは外部に取り付けられる天面板及び背面板及び側面板及び底面板からなる平面ないし曲面ないし凹凸面を有する背景板３からなり、最低１面以上の開放部を有する。背景板３はその１面の一部ないし全部を取り外す事が可能で、別の情景を再現する背景板との交換及び採光部の増設及び撮影者の撮影位置範囲増加が可能なように構成されている。また撮影ブース１は単体での使用も可能だが連結して使用する事も可能である。【選択図】図１
0003163799.tif 000002
【実用新案登録請求の範囲】
【請求項１】
常設又は、分割もしくは折り畳んで携行可能なフレームとこのフレームの内部もしくは外部に取り付けられる天面板及び背面板及び側面板及び底面板からなる平面ないし曲面ないし凹凸面を有する背景板からなり、最低１面以上の開放部を有し、背景板は任意の面の一部ないし全部を取り外す事が可能で、別の情景を再現する背景板との交換が可能なように構成されている写真撮影ブース
【請求項２】
背景板の内任意の枚数の一部ないし全部を取り外し採光部の増設が可能なように構成されている請求項１記載の写真撮影ブース
【請求項３】
背景板の内任意の枚数の一部ないし全部を取り外し撮影位置範囲増加が可能なように構成されている請求項１記載の写真撮影ブース
【請求項４】
背景板に照明器具ないし照明器具を取り付ける為のコンセントが組み込まれている請求項１記載の写真撮影ブース
【請求項５】
そのブースを複数個、連結する事が可能なように構成されている請求項１記載の写真撮影ブース
【請求項６】
実在及び非実在の建築物の見た目を再現する為に家具もしくは建築資材もしくは電気製品が背景板に取り付けられている請求項１記載の写真撮影ブース
【考案の詳細な説明】
【技術分野】Ｇ０３Ｂ  １５／０６  １５／０７
【背景技術】
【０００１】
【先行技術文献】
【特許文献】
【特許文献１】出願番号  特願平９−２６９６２５
【特許文献２】出願番号  特願平９−３２０６７５
【特許文献３】出願番号  特願平７−３１４８５２
【特許文献４】出願番号  特願平８−３０４９３４
【考案の概要】
【考案が解決しようとする課題】
【０００２】ハウススタジオ（洋風・和風を始めとする実在の建築物ないし非実在の建築物及び自然物を再現した撮影スタジオ）、デザイナーズスタジオ（幾何学的なデザインや原色を中心とした様々な色彩を配した撮影スタジオ）、色バックスタジオ（単色、グラデーション、模様を背景としたスタジオ）を場所を選ばず安価に再現するとともに、背景を交換可能とし、また連結して使用する事も可能とする写真撮影ブースを提供すること。
【課題を解決するための手段】
【０００３】撮影ブース１は、常設又は、分割もしくは折り畳んで携行可能なフレーム２とこのフレーム２の内部もしくは外部に取り付けられる天面板及び背面板及び側面板及び底面板からなる平面ないし曲面ないし凹凸面を有する背景板３からなり、最低１面以上の開放部を有する。背景板３はその１面の一部ないし全部を取り外す事が可能で、別の情景を再現する背景板との交換及び採光部の増設及び撮影者の撮影位置範囲増加が可能なように構成されている。また撮影ブース１は単体での使用も可能だが連結して使用する事も可能である。
【考案の効果】
【０００４】安価での本格的な撮影背景の所有が可能【０００５】撮影技術の向上の為の練習の時間的制約がなくなる【０００６】小スペースで多数の撮影背景の所有が可能【０００７】本実用新案による装置の連結により機能の拡張性が図られる
【図面の簡単な説明】
【０００８】
【図１】写真撮影ブースの斜視図である
【図２】写真撮影ブースを連結した状態を示す斜視図である
【図３】フレームの分割状態を説明する斜視図である
【図４】背景板の折りたたみの仕組みを説明する斜視図である
【図５】背景板の折りたたみの仕組みを説明する斜視図である
【図６】背景板の折りたたみの仕組みを説明する斜視図である
【図７】背景板の分割状態を説明する斜視図である
【考案を実施するための形態】
【０００９】以下、本考案の一実施形態に係る撮影ブースを図１〜６に基づいて説明する。この撮影ブース１は常設又は、分割もしくは折り畳んで携行可能なフレーム２とこのフレーム２の内部もしくは外部に取り付けられる天面板及び背面板及び側面板及び底面板からなる平面ないし曲面ないし凹凸面を有する背景板３からなり、最低１面以上の開放部を有し、背景板は任意の面の一部ないし全部を取り外す事が可能で、別の情景を再現する背景板との交換が可能なように構成されている。
【００１０】フレーム２は４本の支柱４と長方形の天面板５と底面板６からなる
【００１１】背景板３は図４〜図６に示される様に屏風上に折りたたみ式ないし図７に示される様に分割式である。背景板は４本の支柱４及び天面板５及び底面板６に取り付けられる。
【００１２】背景板のうち側面及び背面は４本の支柱４ないし天面板５ないし底面板６に取り付けられる
【００１３】背景板のうち天面は天面板５のブース内部側、底面は底面板６のブース内部側に取り付けられる
【００１４】以下背景板の造作について説明する
【００１５】背景板３は布を貼付ける事によっても造作される
【００１６】背景板３は紙を貼付ける事によっても造作される
【００１７】背景板３は木を貼付ける事によっても造作される
【００１８】背景板３は金属を貼付ける事によっても造作される
【００１９】背景板３は建築物を再現する窓を貼付ける事によっても造作される
【００２０】背景板３はカーテンを貼付ける事によっても造作される
【００２１】背景板３はレンガ等の軽量の建築材を貼付ける事によっても造作される
【００２２】背景板３は建築用クロスを貼付ける事によっても造作される
【００２３】背景板３は黒板及び鏡等の板状の家具及びその他の用具を貼付ける事によっても造作される
【００２４】背景板３はコート掛け等の板状でないの家具及びその他の用具を貼付ける事によっても造作される
【００２５】背景板３は塗料によって塗装される事によっても造作される
【００２６】背景板３は底面部において絨毯を乗せる事によっても造作される
【００２７】背景板３は底面部において家具及び電化製品を乗せることによっても造作される
【００２８】背景板３は壁付けや天井付けの電化製品を取り付ける事によっても造作される
【００２９】背景板３は壁付けや天井付けの電化製品を取り付ける事によっても造作される
【００３０】背景板３は電気工事によりコンセント等の電気部品を取り付けるによっても造作される
【００３１】背景板３は水道を取り付けるによっても造作される
【００３２】背景板３は浴室・台所用品を取り付ける・設置することによっても造作される
【００３３】背景板３はその他上記に該当しない実在の建築物及び架空の建築物に必要とされる用品の取り付け・設置により造作される
【産業上の利用可能性】
【００３４】従来、撮影スタジオ、特にハウススタジオはその業務を開始するにあたり内装のノウハウが必要であったりその価格が高く、また内装を施す為の物件を所有ないし賃借する必要があり、特に個人での所有は困難であった。本実用新案により、個人でもハウススタジオと同等の撮影背景を手に入れる事が可能であり、昨今のデジタルカメラの普及と相まって、個人が本格的な撮影背景を所有する事が自己の所有物件のみならず賃貸物件でも可能である。また撮影スタジオ、特にハウススタジオでは概ね時間あたりの使用料を支払うため、撮影技術の向上を心ゆくまで追求する事が困難であったが、本実用新案により技術の向上の為の時間的制約がなくなり、撮影技術の探求及び撮影を楽しむライフスタイルの普及の一助となる事や本実用新案による装置を使って撮影の練習を行いその練習の仕上げの撮影をハウススタジオで行う等既存の店舗との相乗効果の発生が予測される。またプロの現場に於いても昨今の予算減少によりスタジオ使用を断念するケースが増加しているが、本実用新案により社屋等に撮影背景を小スペースで多数持つ事が出来、費用の削減と撮影品質の向上に対する追求が可能である。更に屋内・屋外を問わず各種催事での利用も可能で地域のコミュニケーション促進をはじめ様々な利用用途が想定される。本実用新案はその設計者により内容の陳腐化を招く可能性もあるが発案者はハウススタジオを平成２２年５月までに累計７店舗開店・運営しており（公序良俗違反につき、不掲載）、内容も学校の教室再現、中世ヨーロッパの建築物再現、グラビア用単色背景など多岐に渡り、そのパッケージ販売としての本実用新案の活用が可能である。
【符号の説明】
【００３５】１  写真撮影ブース
２  フレーム
３  背景板
４  フレームの支柱
５  フレームの天面板
６  フレームの底面板
【図１】
0003163799.tif 000003
【図２】
0003163799.tif 000004
【図３】
0003163799.tif 000005
【図４】
0003163799.tif 000006
【図５】
0003163799.tif 000007
【図６】
0003163799.tif 000008
【図７】
0003163799.tif 000009
【手続補正書】
【提出日】平成22年8月11日(2010.8.11)
【手続補正１】
【補正対象書類名】明細書
【補正対象項目名】００３４
【補正方法】変更
【補正の内容】
【００３４】従来、撮影スタジオ、特にハウススタジオはその業務を開始するにあたり内装のノウハウが必要であったりその価格が高く、また内装を施す為の物件を所有ないし賃借する必要があり、特に個人での所有は困難であった。本実用新案により、個人でもハウススタジオと同等の撮影背景を手に入れる事が可能であり、昨今のデジタルカメラの普及と相まって、個人が本格的な撮影背景を所有する事が自己の所有物件のみならず賃貸物件でも可能である。また撮影スタジオ、特にハウススタジオでは概ね時間あたりの使用料を支払うため、撮影技術の向上を心ゆくまで追求する事が困難であったが、本実用新案により技術の向上の為の時間的制約がなくなり、撮影技術の探求及び撮影を楽しむライフスタイルの普及の一助となる事や本実用新案による装置を使って撮影の練習を行いその練習の仕上げの撮影をハウススタジオで行う等既存の店舗との相乗効果の発生が予測される。またプロの現場に於いても昨今の予算減少によりスタジオ使用を断念するケースが増加しているが、本実用新案により社屋等に撮影背景を小スペースで多数持つ事が出来、費用の削減と撮影品質の向上に対する追求が可能である。更に屋内・屋外を問わず各種催事での利用も可能で地域のコミュニケーション促進をはじめ様々な利用用途が想定される。本実用新案はその設計者により内容の陳腐化を招く可能性もあるが発案者はハウススタジオを平成２２年５月までに累計７店舗開店・運営しており、内容も学校の教室再現、中世ヨーロッパの建築物再現、グラビア用単色背景など多岐に渡り、そのパッケージ販売としての本実用新案の活用が可能である。